(57)【要約】    【課題】    実験台において、実験の際使用する機器類への電気の供給や実験のための水道水、ガス等の供給のためのコンセント、水道栓、ガス栓等が設置されたユーティリティと称する部分の設置位置を変更可能にする。    【解決手段】    水道栓、ガス栓、コンセント等をボックス内に配置したユーティリティボックスで、水道栓、ガス栓に可撓性配管を又コンセントにコードを接続したもので、実験台の棚板等の適宜位置に設置し又設置位置の変更を可能にした。又、棚板にレールを設け、ボックスを摺動可能にした。これにより実験に都合のよい位置にユーティリティ部をおくことができる。【選択図】            図１
2008228939.tif 000002
【特許請求の範囲】
【請求項１】
水道栓、ガス栓等の栓および電源用のコンセントを配置したボックスで、ボックス内にて水道用、ガス用の可撓性配管を栓に接続し、又コンセントに電源用コードを接続し、前記可撓性配管やコードをボックス内に収納したもので試薬棚の棚板に取り付け得るようにしたユーティリテボックス。
【請求項２】
前記試薬棚の棚板にレールを設け、前記ボックスに取り付け座を形成し、前記取り付け座をレールに摺動可能に取り付けてボックスを摺動可能に保持するようにした請求項１のユーティリテボックス。
【発明の詳細な説明】
【技術分野】
【０００１】
本発明は化学実験等が行なわれる実験台に設置されている試薬棚に設けられているユーティリティに関するものである。
【背景技術】
【０００２】
実験台においては、化学実験等を行なうために一般に使用する薬品類を保管する試薬棚が設けられている。又、実験台では一般にエネルギーと称する実験の際に使用されるガスや水道水等の可撓性配管や電気コード等が設けられているユーティリティと称するスペースがあり、これらは一般には試薬棚の下部の空間に設置されている。
【０００３】
このような試薬棚の一例を示すと図４に示す通りである。
【０００４】
この図４において、（Ａ）は正面図、（Ｂ）は側面図である。これら図において、２０が実験台であり、図４（Ｂ）に示すように、その中央部に試薬棚２２が配置されている。そして、この試薬棚２２の下部には、水道栓２４、ガス栓２５等が棚板下部表面に取りつけられ、又、電源用のコンセント２６を設けた構成である。
【０００５】
このように従来の試薬棚は、上部が棚でその棚板の下部は棚としては利用されておらず、そのため収納スペースが限られてしまうという欠点がある。
【発明の開示】
【発明が解決しようとする課題】
【０００６】
本発明は、水道栓やコンセントを小型のボックスの壁面等に設けるようにして、少ないスペースに設置し得るようにしたユーティリティボックスを提供するものである。
【０００７】
又本発明は、移動可能にすることにより、簡単に設置位置の変更が可能であるようにしたユーティリティボックスを提供するものである。
【課題を解決するための手段】
【０００８】
本発明のユーティリティボックスは、ケース状のボックスの側面等に水道栓、ガス栓等の栓や電源用のコンセントを取り付け、ボックス内にて栓に接続する水道、ガスの可撓性配管およびコードを配置した構成である。これにより、棚板下部に空間を形成し、この空間に機器類の配置を可能にすると共に、ボックスの指定位置への設置や設置位置の変更により実験内容による最適な位置に機器類を設置することを可能にした。
【０００９】
又、本発明のユーティリティボックスは、上記構成のボックスに取り付け座を設け、一方棚板にレールを設置することによりボックスの移動が簡単に行ない得る構成にした。
【００１０】
これにより、ボックスの移動や指定位置への設置を極めて簡単に行ない得て、前述のような実験内容による最適の位置へのボックスの移動が極めて簡単に行ない得る。
【発明の効果】
【００１１】
本発明のユーティリティボックスは、指定位置への設置や設置位置の変更、移動を極めて容易に行ない得るもので、これにより棚板下部の機器類の収納等の有効利用および実験内容や機器の収納等を考慮した最適位置への設置、変更、移動が極めて容易に行ない得る等の効果を有する。
【発明を実施するための最良の形態】
【００１２】
次に本発明の実施の形態を図示する実施例にもとづいて説明する。
【実施例１】
【００１３】
図１は、本発明のユーティリティボックスおよびその試薬台への配置例を示す。
【００１４】
図１において、（Ａ）は本発明のユーティリティボックスおよびそれの試薬棚への配置例を示した正面図、（Ｂ）はその側面図、（Ｃ）はユーティリティボックスの試薬棚への他の配置例を示す。
【００１５】
本発明のユーティリティボックス１は図１に示すようにボックス状の容器表面（壁面）に水道栓、ガス栓等２やコンセント３等を設置し、その内部にそれら水道栓等に接続する水道用の可撓性配管、ガスの可撓性配管、電気コード等を収納し、これら可撓性配管、コードの先端を水道管、ガス管等の配管や電源に接続し得るようにしたものである。
【００１６】
これにより、本発明のユーティリティボックスを用いることにより、試薬棚下部のスペースを確保し、又配管位置等を考慮して、このユーティリティボックス位置の変更、移動を可能にしたもので、特に収納スペースを考慮しての配置位置の選択も可能になる。
【００１７】
図１の（Ａ）は、上記のように収納スペースを考慮してのユーティリティボックスの配置例を示す。この図のようなユーティリティボックスの配置により、図における符号５にて示すような機器類の設置が可能になる。
【００１８】
又、図１の（Ｃ）は他の配置例で、この図のように配置位置の変更により、機器類５の配置スペースを変更し得る。
【００１９】
したがって、実験内容その他により、水道栓の位置を重視した配置や、又機器類の収納を重視した配置等各種の使用例の変更が可能になり、実験者の作業性の良い配置を自由に選択し得る。
【実施例２】
【００２０】
本発明の実施例２は、本発明のユーティリティボックスを試薬棚の棚板の下面に設置すると共にユーティリティボックスの移動が簡単に行ない得る構成にした例である。
【００２１】
図２は、本発明のユーティリティボックスを試薬棚の棚板下面に設置した状態を示した図である。
【００２２】
この図において、ユーティリティボックスは水道栓２およびコンセント３を設けた構成で、ボックス取付座４に固定ねじ５にて取りつけられている。一方棚板１０にはレール１１が形成されており、ユーティリティボックス１は取付座４を棚板１０のレール１１にて摺動可能に保持されている。又、棚板１０と取付座４の間には、配管や配線のためのスペースが形成されている。
【００２３】
この図２に示すユーティリティボックス１を図１の（Ａ）に示すように、例えば棚板１０の下の左隅に位置させ、前述のように、ユーティリティボックスの位置しない棚板の下部の中央および右側の空間内に機器類５を収納し得る。
【００２４】
又、図１の（Ｃ）に示すように、棚板のレールに沿ってボックスを移動させて、ユーティリティボックス１を中央に移動させその両側に機器類を設置すれば良い。
【００２５】
このように作業者の都合によりユーティリティボックス１を移動させ機器類の設置に便利な位置への変更が可能であり、又簡単に変更し得る。
【００２６】
ここで、本発明のユーティリティボックスは、棚板面（表面）とボックス移動用のレール１１との間を利用して配管６や電源コード７を配置するようにした。ここでの配管はガス用や水道用の可撓性を有するものが用いられる。これによって、前記棚板下面の空間にこの可撓性の配管を置き、この配管やコードをボックス内を通してガス栓や水道栓、電源用のコンセント等に接続する。これら可撓性配管や電源コードをボックスが移動配置（レール）の一方の最短部に位置する時に折れ曲がった状態にて最も小さくたたまれた状態にし、反対側の端部に向けボックスが移動するにつれてそれら可撓性配管が次第に伸び、最端部に達した時に伸びるようにする
逆に伸びた状態から逆方向に移動することにより折りたたまれるようにする。
【００２７】
これによって、ボックスの移動がスムーズに行なわれ、しかもいかなる位置にてもエネルギーの使用が可能になる。
【００２８】
図３は、レール１１内での配管、配線の位置の一例を示す概略図で、配管、配線の配置状況とユーティリティボックスを移動させた時の移動（変形）例を示す。
【００２９】
図３において、配管、配線６（７）の一端６ｃは水道、ガス等の供給側で、他端６ａはユーティリティボックス１側である。
【００３０】
この図３のように、ユーティリティボックス１が供給側より離れた位置において、配管、配線６（７）は、図３のＡのように短くＵ字状に折り曲げ配置し、供給側へ移動するに従い、図３のＢのように折り曲げ部分が変化してＵ字状部分が伸びて全体として短くなる。逆に、供給側から離れる方向へユーティリティボックス１が移動した時には、折り曲げ部分の変形によって、Ｕ字状部分が短くなるようにしてある。
【００３１】
これにより、ユーティリティボックスの移動はスムーズに行なわれ、同時に配管、配線も何ら支障なく変形する。
【００３２】
以上のように、本発明ではボックスの移動が可能であるため、図１の（Ａ）に示すように機器類の設置に邪魔にならないように機器を右側に配置する際は、ボックスを左端に移動させ、図１の（Ｃ）のように機器を左右に置く時は、ボックスは中央に移動させればよい。
【００３３】
又、機器の設置場所によるボックス位置の変更だけではなく、作業内容により作業者の近く又は作業上最も便利な位置への移動が可能になり、それによりボックスに設けられた栓からの可撓性配管やコードの長さを短くでき、作業の邪魔になるのを防止して作業効率の向上にも寄与する。
【産業上の利用可能性】
【００３４】
本発明のユーティリティボックスは、実験台に設置された試薬棚の棚板下部に設置して用いるもので、実験内容等に応じた適切な位置への設置および位置の変更や移動を極めて簡単に行ない得る。
【図面の簡単な説明】
【００３５】
【図１】本発明の実施例１の構成を示す図
【図２】本発明の実施例２の構成を示す図
【図３】上記実施例２における配管の例でユーティリティボックスの移動に伴う配管の変形の状態を示す図
【図４】従来の実験台を示す図
【符号の説明】
【００３６】
１      ユーティリティボックス
２      水道栓、ガス栓
３      コンセント
６      可撓性配管
１１    レール
【図１】
2008228939.tif 000003
【図２】
2008228939.tif 000004
【図３】
2008228939.tif 000005
【図４】
2008228939.tif 000006